(57)【要約】【課題】高圧放電灯用の焦点調整構造の提供。【解決手段】一種の高圧放電灯用の焦点調整構造であり、高圧放電灯の据付用の基座、そして、基座と組み立てられるランプベースを含めている。このランプベースには、主要通し穴及び隣接している側辺通し穴があり、当該ランプベースの内壁には少なくとも主要通し穴まで突き通った一つのスロットがある。基座には管体があり、当該管体には中心穴と、この中心穴に平行して接近した側穴を有する。管体の外壁には、管体と垂直になっている複数の開け穴を設け、当該基座はランプベースの上方や下方から、同時にランプベースの主要通し穴と側辺穴に挿入され、軸方向を自由に移動することで焦点を調整することができ、さらにC形掛け金具をランプベースのスロットと基座の開け穴に挿入して基座とランプベースを固定する。【選択図】図２
0003129252.tif 000002
【実用新案登録請求の範囲】
【請求項１】
ランプベース：主要通し穴と、それに隣接している側辺通し穴があり、当ランプベースの内壁には少なくとも、主要通し穴まで突き抜けるスロットが設けられ、
基座：管体があり、この管体には中心穴と、それと平行になって接近している側穴があり、管体の外壁には、それと垂直になっている複数の開け穴があり、基座はランプベースの上方や下方から同時にランプベースの主要通し穴と側辺穴に入ることができ、
高圧放電灯：導電金属を延ばして出し、その導電金属の外部に絶縁パイプが設けられ、この高圧放電灯と絶縁パイプはそれぞれに、基座の中心穴と側穴に組み立てられ、
C形掛け金具：ランプベースのスロットと基座の開け穴に挿入され、基座トランプベースの固定に使われることを特徴とする高圧放電灯用の焦点調整構造。
【請求項２】
当該C形掛け金具が相対する両側にはそれぞれの突出した耳が設けられ、前述の管体の外壁が相対する両側には欠け口が設けられ、C形掛け金具がランプベースのスロットと基座の開け穴に挿入した時に、両耳はちょうど欠け口と噛み合って固定するようになることを特徴とする請求項１記載の高圧放電灯用の焦点調整構造。
【考案の詳細な説明】
【技術分野】
【０００１】
本考案は一種の高圧放電灯用の焦点調整構造であり、特に数々のメーカーの車用ランプの規格に対応して光源焦点の調整ができるような設計になっている。
【背景技術】
【０００２】
一般に、車前方のランプ(いわゆる「ヘッドライト」や「前灯」)には、異なる交通状況に応じれるように、ハイビームやロービームに切り替える機能を持っている。
【０００３】
高圧放電灯(又は、「キセノンハロゲン電球」という)の明るさは伝統電球とハロゲン電球の数倍であり、放出するライトは自然光に似ているので、車を運転する人の間では人気があり、取り替える人が多い。一部の高級車でさえ標準仕様でついている。
【０００４】
従来の高圧放電灯は、ランプを一つのランプベースに結合させ、使用する際にそのランプベースを車正面の照明位置につける。ただし、異なるタイプの車では、特別規格のランプベースしか利用できないし、従来の高圧放電灯は特定規格の車に合わせてランプをその特別規格のランプベースに取り付けることしかできない。このため、従来の高圧放電灯も特定メーカーの車用照明装置に合わせなければ、十分に光源の焦点が得られない。もし、このような高圧放電灯を他のメーカーの車に使用したければ、望む光源の焦点は得られないことになる。また、従来の高圧放電灯はランプベースに組み立てられる時に、一方の方向(通常はランプベースの後端)に向けて嵌めることしかできなくて、ランプベースの中心穴を突き抜けて固定するしかないため、組み立てる際のフレキシビリティはさらに進まない。
【考案の開示】
【考案が解決しようとする課題】
【０００５】
本考案の目的の一つは、前述での従来の高圧放電灯が光源の焦点を自由に調整できないのが原因で、他のメーカーの車に利用できない欠点を改良することにある。
【０００６】
本考案のもう一つの目的は、高圧放電灯をランプベースの前端からでも、後端からでも組み立てられるように、フレキシビリティを向上することである。
【０００７】
故に、本考案の技術手段は、高圧放電灯の据付用の基座、そして、その基座と組み合わせるランプベースを提供している。そのランプベースには主要通し穴、そして、主要通し穴に隣接している側辺通し穴がある。ランプベースの内壁には、少なくとも主要通し穴まで突き抜ける一つのスロットが設けられている。基座には管体があり、その中には中心穴とそれに平行になっている側穴がある。管体の外壁には、管体と垂直方向になっている複数の開け穴があり、これらの開け穴により、基座はランプベースの上方や下方から同時にランプベースの主要通し穴と側辺通し穴に挿入でき、軸方向を自由に移動することで焦点の調整を行う。さらに、C形掛け金具をランプベースのスロットと基座の開け穴に挿入することにより、基座とランプベースを固定する。
【０００８】
本考案の設計により、高圧放電灯を異なるブランドの車に取り付ける際に、それぞれの照明ランプのレフレクターのアークによって光源の焦点を調整することができる。調整時においては、C形掛け金具をランプベースから外すだけ、高圧放電灯の基座とランプベースに軸方向を自由に移動させることができる。焦点の調整が完了後、C形掛け金具をランプベースのスロットと基座の開け穴に挿入して基座をランプベースに固定させ、焦点を固定させる。
【課題を解決するための手段】
【０００９】
請求項１の考案は、ランプベース：主要通し穴と、それに隣接している側辺通し穴があり、当ランプベースの内壁には少なくとも、主要通し穴まで突き抜けるスロットが設けられ、
基座：管体があり、この管体には中心穴と、それと平行になって接近している側穴があり、管体の外壁には、それと垂直になっている複数の開け穴があり、基座はランプベースの上方や下方から同時にランプベースの主要通し穴と側辺穴に入ることができ、
高圧放電灯：導電金属を延ばして出している、その導電金属の外部に絶縁パイプが設けられ、この高圧放電灯と絶縁パイプはそれぞれに、基座の中心穴と側穴に組み立てられ、  C形掛け金具：ランプベースのスロットと基座の開け穴に挿入され、基座トランプベースの固定に使われることを特徴とする高圧放電灯用の焦点調整構造としている。
請求項２の考案は、当該C形掛け金具が相対する両側にはそれぞれの突出した耳が設けられ、前述の管体の外壁が相対する両側には欠け口が設けられ、C形掛け金具がランプベースのスロットと基座の開け穴に挿入した時に、両耳はちょうど欠け口と噛み合って固定するようになることを特徴とする請求項１記載の高圧放電灯用の焦点調整構造としている。
【考案の効果】
【００１０】
本考案は高圧放電灯用の焦点調整構造、前述での従来の高圧放電灯が光源の焦点を自由に調整できないのが原因で、他のメーカーの車に利用できない欠点を改良することにある。高圧放電灯をランプベースの前端からでも、後端からでも組み立てられるように、フレキシビリティを向上することである。
【考案を実施するための最良の形態】
【００１１】
図１と図２は、本考案が提供する高圧放電灯用の焦点調整構造を示している。この構造には基座１、ランプベース２、高圧放電灯３、及び少なくとも一つのC形掛け金具４が含まれている。ここで、基座１には管体１１があり、管体１１の端には中心穴１２と中心穴に隣接している側穴１３がある。管体１１の外壁には管体と垂直になっている複数の開け穴１４を設け、これらの開け穴１４は、中心穴１２に貫通する。前述した中心穴１２は高圧放電灯３の端を組み立てるのに使われる。高圧放電灯３のもう一方の端は導電金属３１を延ばして出している。導電金属３１は１８０°を回転し、外部で絶縁カバー３２によって覆われる。そして、導電金属３１は基座１の内部に伸びて入り、基座内部に設置された電子部品と電気的に接続する。一方、高圧放電灯を据え付けるランプベース１のもう一方の端にはワイヤが配置され、そして、ワイヤに車の電気部品のコネクタを設ける。
【００１２】
ランプベース２の好ましい実施例においては中央に、両端を貫通する主要通し穴２１と、この主要通し穴２１に隣接している側辺穴２２を設けている。ランプベース２の内壁に、少なくとも、主要通し穴２１まで突き抜ける一つのスロット２３がある。また、ランプベース２が対称になっている両側の外壁には更にそれぞれの欠け口２４を設けても良い。基座１はランプベース２の上方や下方から同時にランプベース２の主要通し穴２１と側辺穴２２に挿入できる。
【００１３】
前述のC形掛け金具４の厚みはスロット２３と開け穴１４より小さい。まして、C形掛け金具が対称になっている両側にはそれぞれの突出し耳４１が形成されている。
【００１４】
前述の各デバイスが組み立てられた時は、高圧放電灯３がつけられた基座１をランプベース２の前や後から、主要通し穴２１と側辺通し穴２２に入れて、照明ランプのレフレクター(図に示されていない)の焦点に従い、高圧放電灯３がランプベース２と対称になっている位置を調整する。それからは、C形掛け金具４をスロット２３に挿入すると同時に、基座１の開け穴１４まで挿入し、最後に、両耳４１をランプベース２の両側の欠け口２４とかみ合わせて固定させる。しかも、C形掛け金具４を利用して基座１とランプベース２を一緒に固定させる。組立が完了すれば、その構造は図３と図４が示すとおりになるC形掛け金具が対称になっている両側にはそれぞれの突出し耳４１が形成されている。
【００１５】
本考案の構造を利用して、以後に違う規格の照明ランプのレフレクターに替えて再び焦点を調整する必要が出てくる時に、C形掛け金具４を外すだけで、基座１がランプベース２の主要通し穴２１と側辺通し穴２２の中で、軸方向に自由移動ができるようになる。焦点の調整が完了できたら、C形掛け金具４を改めてスロット２３と開け穴１４に挿入して固定すればよい
【図面の簡単な説明】
【００１６】
【図１】本考案における各主要デバイスの組立関係に関する立体分解図である。
【図２】本考案における各主要デバイスの組立関係に関する平面分解図である。
【図３】本考案における各主要デバイスの組立完了後の立体図である。
【図４】本考案における主要デバイスの組立完了後の平面断面図である。
【符号の説明】
【００１７】
１  基座
１１  管体
１２  中心穴
１３  側穴
１４  開け穴
２  ランプベース
２１  主要通し穴
２２  側辺通し穴
２３  スロット
２４  欠け口
３  高圧放電灯
３１  導電金属
３２  絶縁パイプ
４  C形掛け金具
４１  耳
【図１】
0003129252.tif 000003
【図２】
0003129252.tif 000004
【図３】
0003129252.tif 000005
【図４】
0003129252.tif 000006
【手続補正書】
【提出日】平成18年11月24日(2006.11.24)
【手続補正１】
【補正対象書類名】実用新案登録請求の範囲
【補正対象項目名】全文
【補正方法】変更
【補正の内容】
【実用新案登録請求の範囲】
【請求項１】
ランプベース、基座、高圧放電灯及びC形掛け金具を含み、
該ランプベースは主要通し穴と、それに隣接している側辺通し穴を具え、当該ランプベースの内壁には少なくとも、主要通し穴まで突き抜けるスロットが設けられ、
該基座は管体があり、この管体には中心穴と、それと平行になって接近している側穴があり、管体の外壁には、それと垂直になっている複数の開け穴があり、該基座はランプベースの上方や下方から同時にランプベースの主要通し穴と側辺穴に入ることができ、
該高圧放電灯は導電金属を延ばして出し、その導電金属の外部に絶縁パイプが設けられ、この高圧放電灯と絶縁パイプはそれぞれに、該基座の中心穴と側穴に組み立てられ、
該C形掛け金具は該ランプベースのスロットと該基座の開け穴に挿入され、該基座と該ランプベースの固定に使われることを特徴とする高圧放電灯用の焦点調整構造。
【請求項２】
当該C形掛け金具が相対する両側にはそれぞれの突出した耳が設けられ、前述の管体の外壁が相対する両側には欠け口が設けられ、C形掛け金具がランプベースのスロットと基座の開け穴に挿入した時に、両耳はちょうど欠け口と噛み合って固定するようになることを特徴とする請求項１記載の高圧放電灯用の焦点調整構造。
【手続補正２】
【補正対象書類名】明細書
【補正対象項目名】０００９
【補正方法】変更
【補正の内容】
【０００９】
請求項１の考案は、ランプベース、基座、高圧放電灯及びC形掛け金具を含み、
該ランプベースは主要通し穴と、それに隣接している側辺通し穴を具え、当該ランプベースの内壁には少なくとも、主要通し穴まで突き抜けるスロットが設けられ、
該基座は管体があり、この管体には中心穴と、それと平行になって接近している側穴があり、管体の外壁には、それと垂直になっている複数の開け穴があり、該基座はランプベースの上方や下方から同時にランプベースの主要通し穴と側辺穴に入ることができ、
該高圧放電灯は導電金属を延ばして出し、その導電金属の外部に絶縁パイプが設けられ、この高圧放電灯と絶縁パイプはそれぞれに、該基座の中心穴と側穴に組み立てられ、
該C形掛け金具は該ランプベースのスロットと該基座の開け穴に挿入され、該基座と該ランプベースの固定に使われることを特徴とする高圧放電灯用の焦点調整構造としている。
請求項２の考案は、当該C形掛け金具が相対する両側にはそれぞれの突出した耳が設けられ、前述の管体の外壁が相対する両側には欠け口が設けられ、C形掛け金具がランプベースのスロットと基座の開け穴に挿入した時に、両耳はちょうど欠け口と噛み合って固定するようになることを特徴とする請求項１記載の高圧放電灯用の焦点調整構造としている。